(57)【特許請求の範囲】
【請求項１】
加熱調理器を梱包する外箱と、製品梱包時に前記外箱内の両サイドに配設される第１の緩衝材及び前記加熱調理器の天面を構成するガラスプレートに載置される第２の緩衝部材を有し前記加熱調理器を支持、固定して緩衝する緩衝部材と、前記加熱調理器の付属部品とを備え、封函フラップの折り曲げ罫線甲とは別に前記外箱の天面に鉛直な一平面で前記外箱の側面長手方向あるいは短手方向を切るようにしてできる開口面の４辺に沿って折り曲げ罫線丙を配設し、前記加熱調理器を搬送して取り出した後には、互いに１８０度回転対称になるように対向して配列された前記第１の緩衝部材の間に、前記第２の緩衝部材を入れて配列して前記折り曲げ罫線丙より反対側に寄せて配設し、前記外箱の前記折り曲げ罫線丙を基準に封函フラップを内側に折りたたむことにより、前記外箱を回収するときに前記緩衝部材を収納したまま減容化することができる構成とした加熱調理器用リターナブル梱包箱。
【発明の詳細な説明】
【技術分野】
【０００１】
本発明は、一般家庭の加熱調理器を施工現地に搬送し、紙段ボールを除くプラスチック段ボール箱、緩衝部材を生産メーカーに返送して再利用するリターナブル梱包に関し、最終ユーザー先での段ボールやスチロール製緩衝材のごみを極力無くし、環境にやさしい梱包形態に配慮するもので、特に最終ユーザー先から箱を回収する際に箱を折りたたんでより小さく減容化するものである。
【背景技術】
【０００２】
従来、折りたたみ可能なリターナブル梱包箱は被梱包物を取り出した後には、外箱のみを回収するものが主で外箱自体を折りたたむよう構成されている（例えば、特許文献１参
照）。
【０００３】
また、外箱を上蓋と下蓋の２つに分離して、下蓋内に複数の仕切りを設けて輸送品を収納できるようにし、回収時には上蓋と下蓋を対向させて嵌入可能な大きさまで輸送体積を減少させるよう構成されている（例えば、特許文献２参照）。
【０００４】
図７は回収時の外箱の折りたたみ状態の一例を示すものである。図７に示すように外箱４１は左右壁体甲４２を床体４３から外して、床体４３に載置収納して壁体乙４４を内側に倒して重ねるように折りたたみ構成されている。
【０００５】
また、図８に代表されるリターナブル梱包箱において、外箱５１は上蓋となる容器甲５２と下蓋となる容器乙５３で構成され、容器乙５３の中には複数の仕切り板５４が容器乙５３の外周より上方に突出して収納され、輸送品を収納する構成となっている。ここで容器甲５２を容器乙５３に対向して嵌入し、係止部凸５５および係止部凹５６が互いに当接する位置まで嵌入し、輸送体積を減少させるよう構成されている。
【特許文献１】特開２００２−３６２５５０号公報
【特許文献２】特開２００３−１９１９５７号公報
【発明の開示】
【発明が解決しようとする課題】
【０００６】
図７に代表される折りたたみ構成では、回収時に回収するのは外箱４１のみで精密機器や加熱調理器など重量が大きく制御回路などを有した製品のリターナブル梱包においては運送時の衝撃から製品を確実に緩衝するために緩衝部材などが必要不可欠であり、外箱のみで構成できるものではなかった。
【０００７】
また、回収する中身がある場合、外箱４１とは別の梱包となり欠品や部品の損傷あるいは運送上の管理ロスなどを生じるという課題を有していた。
【０００８】
また、図８に代表される減容構成では、容器乙５３の中に収納された仕切り板５４の高さ寸法より外箱の高さを低くして減容化することはできず、軽微な減容化にとどまるという課題を有していた。
【０００９】
本発明は、前記従来の課題を解決するもので、回収時の箱の減容化を顕著に実現し、運送コストの低減と在庫の保管スペースを削減できるリターナブル梱包箱を提供することを目的とする。
【課題を解決するための手段】
【００１０】
前記従来の課題を解決するために、本発明の加熱調理器用リターナブル梱包箱は、加熱調理器を梱包する外箱と、製品梱包時に前記外箱の両サイドに配設される第１の緩衝材及び前記加熱調理器の天面を構成するガラスプレートに載置される第２の緩衝部材を有し前記加熱調理器を支持、固定して緩衝する緩衝部材と、前記加熱調理器の付属部品とを備え、封函フラップの折り曲げ罫線甲とは別に前記外箱の天面に鉛直な一平面で前記外箱の側面長手方向あるいは短手方向を切るようにしてできる開口面の４辺に沿って折り曲げ罫線丙を配設し、前記加熱調理器を搬送して取り出した後には、互いに１８０度回転対称になるように対向して配列された前記第１の緩衝部材の間に、前記第２の緩衝部材を入れて配列して前記折り曲げ罫線丙より反対側に寄せて配設し、前記外箱の前記折り曲げ罫線丙を基準に封函フラップを内側に折りたたむことにより、前記外箱を回収するときに前記緩衝部材を収納したまま減容化することができる構成とするものである。これにより、精密機器や加熱調理器などの製品のリターナブル梱包において回収時の箱の減容化を顕著に実現し、運送コストの低減と在庫の保管スペースを削減できるよう構成したものである。
【発明の効果】
【００１１】
本発明の加熱調理器用リターナブル梱包箱は、回収時に箱の減容化を顕著に実現でき、部材が欠品になりにくい構成と運送時の品質を十分確保できしかも最終ユーザーに無駄なごみを極力出さない環境に配慮した加熱調理器用リターナブル梱包箱を提供することができるものである。
【発明を実施するための最良の形態】
【００１２】
第１の発明は、加熱調理器を梱包する外箱と、製品梱包時に前記外箱の両サイドに配設される第１の緩衝材及び前記加熱調理器の天面を構成するガラスプレートに載置される第２の緩衝部材を有し前記加熱調理器を支持、固定して緩衝する緩衝部材と、前記加熱調理器の付属部品とを備え、封函フラップの折り曲げ罫線甲とは別に前記外箱の天面に鉛直な一平面で前記外箱の側面長手方向あるいは短手方向を切るようにしてできる開口面の４辺に沿って折り曲げ罫線丙を配設し、前記加熱調理器を搬送して取り出した後には、互いに１８０度回転対称になるように対向して配列された前記第１の緩衝部材の間に、前記第２の緩衝部材を入れて配列して前記折り曲げ罫線丙より反対側に寄せて配設し、前記外箱の前記折り曲げ罫線丙を基準に封函フラップを内側に折りたたむことにより、前記外箱を回収するときに前記緩衝部材を収納したまま減容化することができる構成とすることにより、加熱調理器を梱包しているときと比べて箱の回収時には箱の側面長手寸法あるいは短手寸法を顕著に小さく構成して、箱の減容化を顕著に実現することができる。
【００１３】
（参考の形態１）
図１および図２は、本発明の第１の参考の形態における加熱調理器用リターナブル梱包箱の製品梱包時の形態展開図と回収時の形態図を示すものである。
【００１４】
図１において、まず製品梱包時の構成を説明すると加熱調理器１は外箱２の両サイドに配設された発泡ＰＥ製緩衝部材甲３に嵌入してセットされる。加熱調理器１の天面を構成するガラスプレート４を保護緩衝するための発泡ＰＥ製緩衝部材乙５をガラスプレート４に載置し、緩衝部材乙５の切り欠き溝６には加熱調理器１の付属部品７が配設されている。折り曲げ罫線甲８を下方に任意の距離だけオフセットして折り曲げ罫線乙１０が配設され、折り曲げ罫線甲８と折り曲げ罫線乙１０の間で長手側面１１と短手側面１２をマジックテープ（登録商標）１３で接着し、一体化している。ここで外箱２の折り曲げ罫線甲８を基準にフラップ９が内側に折りたたまれ外箱２の天面を構成するように加熱調理器１を梱包して封函される。
【００１５】
次に、図２において製品を取り出した後の箱の回収時の構成を説明する。
【００１６】
外箱２の中に緩衝部材甲３と緩衝部材乙５とをいれ、長手側面１１と短手側面１２とを接着一体化しているマジックテープ（登録商標）１３を外し、折り曲げ罫線乙１０を基準にフラップ９を内側に折りたたみ外箱２の天面を構成するように梱包して封函される。
【００１７】
以上のように構成された加熱調理器用リターナブル梱包箱について以下その動作、作用を説明する。
【００１８】
まず、緩衝部材甲３と緩衝部材乙５は緩衝性、耐久性の高い発泡ＰＥで構成されることで、重量が重く制御回路や、樹脂部材を内蔵する加熱調理器１を支持して運送時の衝撃から加熱調理器１を緩衝、保護するように作用する。また加熱調理器１を搬送現地に供給した後、回収時には外箱２の中に緩衝部材甲３と緩衝部材乙５を収納したまま簡便に欠品なく外箱２を折りたたみ、外箱２の２０〜３０％の減容化を実現することができるように作用する。
【００１９】
（実施の形態１）
図３と図４は、本発明の第１の実施の形態における加熱調理器用リターナブル梱包箱の製品梱包時の形態展開図と回収時の形態図を示すものである。なお、本実施の形態１の基本構成は実施の形態１と同様であるので、その同様な部分の説明は省略し、相違点を中心に説明する。また、実施の形態１と同じ機能には同じ符号を付してその説明を省略する。
【００２０】
図３において、まず製品梱包時の構成を説明する。本実施の形態の特徴は、実施の形態１の外箱２０の側面長手方向に折り曲げ罫線甲２１を配設し、フラップ２２を内側に折りたたみ右側面を構成するように加熱調理器１を梱包して封函される構成としている点である。
【００２１】
またこのとき折り曲げ罫線甲２１を左方に任意の距離だけオフセットして折り曲げ罫線丙２３が配設され、折り曲げ罫線甲２１と折り曲げ罫線丙２３の間で長手側面２４と短手側面２５と天面２６と底面２７をそれぞれ任意の位置でマジックテープ（登録商標）１３で接着し、一体化している。
【００２２】
次に、図４において製品を取り出した後の箱の回収時の構成を説明する。本実施の形態の特徴は、実施の形態１の外箱２０の中に緩衝部材甲３と緩衝部材乙５とをいれ、長手側面２４と短手側面２５と天面２６と底面２７とを接着一体化しているマジックテープ（登録商標）１３を外し、折り曲げ罫線丙２３を基準にフラップ２２を内側に折りたたみ外箱２０の右側面を構成するように梱包して封函される構成としている点である。
【００２３】
以上のように構成された加熱調理器用リターナブル梱包箱について、以下その動作、作用を説明する。
【００２４】
まず、緩衝部材甲３と緩衝部材乙５は緩衝性、耐久性の高い発泡ＰＥで構成されることで、重量が重く制御回路や、樹脂部材を内蔵する加熱調理器１を支持して運送時の衝撃から加熱調理器１を緩衝、保護するように作用する。また加熱調理器１を搬送現地に供給した後、回収時には外箱２０の中に緩衝部材甲３と緩衝部材乙５を収納したまま簡便に欠品なく外箱２０折りたたみ、外箱２０の２０〜４０％の減容化を実現することができるように作用する。
【００２５】
なお、本実施の形態では折り曲げ罫線丙２３を外箱２０の長手側側面方向に配設したが、同様に短手側側面方向に配設して減容化を実現してもよい。
【００２６】
（実施の形態２）
図５と図６は、本発明の第２の実施の形態における加熱調理器用リターナブル梱包箱の製品梱包時の形態上視図と回収時の形態上視図を示すものである。なお、本実施の形態２の基本構成は実施の形態１と同様であるので、その同様な部分の説明は省略し、相違点を中心に説明する。また実施の形態１と同じ機能には同じ符号を付してその説明を省略する。
【００２７】
図５は実施の形態１の製品梱包時の構成を上視図とした以外同様の構成であるので説明を省略する。
【００２８】
図６において製品を取り出した後の箱の回収時の構成を説明する。本実施の形態の特徴は実施の形態１の外箱２の両サイドに配設された発泡ＰＥ製緩衝部材甲３を互いに１８０度回転対称になるように対向して配列し、発泡ＰＥ製緩衝部材乙５を２つに折り曲げて回転対称に配列された緩衝部材甲３の間に入れて配列し、これらを折り曲げ罫線乙３０と反
対側の片側に寄せて配設し、折り曲げ罫線乙３０で折りたたんで梱包し封函される構成としている点である。
【００２９】
以上のように構成された組み込み型加熱調理器用リターナブル梱包箱について、以下その動作、作用を説明する。
【００３０】
外箱２０の中の緩衝部材甲３と緩衝部材甲５を最小限のスペースに配列することで、折り曲げ罫線乙３０の位置を減容側に配設することができ、外箱２０の３０〜５０％減容化を実現することができるように作用する。
【産業上の利用可能性】
【００３１】
以上のように、本発明にかかる加熱調理器用リターナブル梱包箱は、部材が欠品になりにくい構成と運送時の品質を十分確保できしかも最終ユーザーに無駄なごみを極力出さないことが可能となるので、一般家庭の施工を伴う調理機器のリターナブル梱包等の用途にも適用できる。
【図面の簡単な説明】
【００３２】
【図１】本発明の第１の参考の形態における加熱調理器用リターナブル梱包箱の製品梱包時の形態展開図
【図２】本発明の第１の参考の形態における加熱調理器用リターナブル梱包箱の回収時の形態図
【図３】本発明の第１の実施の形態における加熱調理器用リターナブル梱包箱の製品梱包時の形態展開図
【図４】本発明の第１の実施の形態における加熱調理器用リターナブル梱包箱の回収時の形態図
【図５】本発明の第２の実施の形態における加熱調理器用リターナブル梱包箱の製品梱包時の形態上視図
【図６】本発明の第２の実施の形態における加熱調理器用リターナブル梱包箱の回収時の形態上視図
【図７】従来の回収時の外箱の折りたたみ状態図
【図８】従来の回収時の外箱の状態図
【符号の説明】
【００３３】
１  加熱調理器
２、２０  外箱
３  緩衝部材甲
４  ガラスプレート
５  緩衝部材乙
６  切り欠き溝
７  付属部品
８、２１  折り曲げ罫線甲
９、２２  フラップ
１０、３０  折り曲げ罫線乙
１１、２４  長手側面
１２、２５  短手側面
１３  マジックテープ（登録商標）
２３  折り曲げ罫線丙
２６  天面
２７  底面
【図１】
0004475228.tif 000002
【図２】
0004475228.tif 000003
【図３】
0004475228.tif 000004
【図４】
0004475228.tif 000005
【図５】
0004475228.tif 000006
【図６】
0004475228.tif 000007
【図７】
0004475228.tif 000008
【図８】
0004475228.tif 000009